(57)【要約】【課題】パイル織り期間に、左右一対のテンプル装置２を経糸３の前後方向に移動させてパイル組織の織布５を形成するパイル織機１において、経年的に平行度の変化しにくいテンプル装置の支持装置１０を提供する。【解決手段】織幅方向のスライドバー９を複数の支持ベース７により支持するとともに、それぞれの支持ベース７に移動自在に設けられる移動体８を経糸３の前後方向で、かつ織幅方向の４個の回転輪１４ａ、１４ｂ、１４ｃ、１４ｄにより転がり移動可能な状態として受けるようにし、移動体８とスライドバー９と一体の案内ベース１９との間に、緯糸方向の振れ規制手段（移動側部材１５、固定側部材１６）を設ける。【選択図】図１
2009030208.tif 000002
【特許請求の範囲】
【請求項１】
パイル織り期間に、左右一対のテンプル装置（２、２’）を経糸（３）の前後方向に移動させてパイル組織の織布（５）を形成するパイル織機（１）において、
左右一対の織機フレーム（６、６’）を連結するステー（１７）上に織幅方向に複数設けられる支持べース（７）と、各支持べース（７）に支持され、経糸（３）の前後方向に移動可能な複数の移動体（８）と、各移動体（８）に対して織幅方向に架け渡した状態で取り付けられ、左右一対のテンプル装置（２）を織幅方向に位置調整可能な状態で支持するスライドバー（９）とを含むテンプル装置の支持装置（１０）であって、
経糸（３）の前後方向に延在し互いに向き合う状態として支持ベース（７）に形成され、前記移動体（８）の両側に設けられた左右一対の上転がり案内面（１１ａ、１１ｂ）および下転がり案内面（１２ａ、１２ｂ）と、前記移動体（８）の両側に位置し、それぞれの側で経糸（３）の前後方向に離間して前記移動体（８）に設けられ、対応の上転がり案内面（１１ａ、１１ｂ）または下転がり案内面（１２ａ、１２ｂ）のうちいずれかに接して転がり移動する４つの回転輪（１４ａ、１４ｂ、１４ｃ、１４ｄ）と、前記移動体（８）の往復運動を経糸（３）の前後方向のみに規制するための手段であって、前記移動体（８）または前記移動体（８）とともに移動する部材側に設けられた移動側部材（１５）および前記移動側部材（１５）に係合するとともに前記織機フレーム（６，６’）側に設けられた固定側部材（１６）を備えた規制手段（１５、１６）とを有することを特徴とするテンプル装置の支持装置（１０）。
【請求項２】
左右の前記下転がり案内面（１２ａ、１２ｂ）を形成する部材を、単一の部材に設けられる案内ベース（１９）により構成することを特徴とする請求項１記載のテンプル装置の支持装置（１０）。
【請求項３】
前記支持べース（７）を、前記移動体（８）の両側に設けられた左右一対の支持ブラケット（１８ａ、１８ｂ）、前記左右一対の支持ブラケット（１８ａ、１８ｂ）の下部に取り付けられた案内ベース（１９）、および各支持ブラケット（１８ａ、１８ｂ）の上部に前記案内ベース（１９）に対して平行に取り付けた複数の案内プレート（２０ａ、２０ｂ）により構成し、前記案内ベース（１９）の左右の上面に前記下転がり案内面（１２ａ、１２ｂ）を形成し、前記案内プレート（２０ａ、２０ｂ）の下面に前記上転がり案内面（１１ａ、１１ｂ）を形成するとともに、これらの支持ブラケット（１８ａ、１８ｂ）、案内ベース（１９）および案内プレート（２０ａ、２０ｂ）を組み立てた状態で前記ステー（１７）に対して着脱自在に設けられることを特徴とする請求項１記載のテンプル装置の支持装置（１０）。
【請求項４】
前記固定側部材（１６）として、左右の上転がり案内面（１１ａ，１１ｂ）および下転がり案内面（１２ａ，１２ｂ）の間で、経糸（３）の前後方向に平行に延びる案内面（２２ａ、２２ｂ）が設けられた前記案内ベース（１９）により構成するとともに、前記移動側部材（１５）として、移動体（８）の下部に取り付けたスライドストッパ（２１）により構成し、前記スライドストッパ（２１）の側部（２１ａ、２１ｂ）を、前記案内面（２２ａ、２２ｂ）に係合させながら滑り移動させることを特徴とする請求項２記載のテンプル装置の支持装置（１０）。
【発明の詳細な説明】
【技術分野】
【０００１】
本発明は、布移動式のパイル織機において、パイル織りに同期してテンプル装置を前後に移動させながら支持する装置に関する。
【背景技術】
【０００２】
特許文献１は、布移動式のパイル織機のテンプル装置を開示している。布移動式パイル織機では、一定のストロークで駆動される筬に対し、数ピックを周期として布（織布）を前後方向に移動させて筬打ちすることにより、パイルを発生させる。テンプル装置は、織り上がった織布の織り前近くで、織布を拡幅する方向に緊張すべく両側にそれぞれ設けられていて、織布の幅が狭くならないようにしている。パイル組織の形成過程で、地経糸用のバックロール、織布用ガイドロールのほか、左右一対のテンプル装置を、経糸（言い換えれば織布）の前後方向に同時に往復駆動して織り前位置を移動させる。
【０００３】
特許文献１の技術で、左右一対のテンプル装置は、織幅方向に延びるテンプルンバーに対し織幅方向に位置調節可能に取付けられるとともに、さらにテンプルバーは、織機のフレーム側に対して織布の前後方向に移動可能に設けられる複数の移動体に載置される。各移動体は、対応されるガイド体の上下の案内面に対して、水平方向の軸の回転輪により、織布の前後方向に移動可能に片側で支持され、またガイド体の垂直な案内面に対して、垂直方向の軸の回転輪により緯糸方向に振れ止めされている。さらに移動体は、パイル織り時の布移動に同期して揺動される部材に連結されており、布移動に同期して前後に移動される。
【０００４】
特許文献１の技術によると、各移動体は、水平方向の軸の回転輪によって、片側支持される構造となっている。一方、テンプル装置には、織布の張力にともなう反力が作用するため、これを受けるテンプルバーに撓みが生じ、この結果、テンプルバーを支持する移動体には、緯糸方向に傾ける力が作用する。移動体の荷重の偏りにより、移動体を支える水平方向の軸の回転輪、垂直方向の軸の回転輪、さらにはこれを受けるガイド体の上・ 下案内面や垂直な案内面に片減り摩耗が生じやすい。この摩耗が進行すると、移動体の上端面が水平方向に対してさらに傾く結果、布の引き具合が部分的に不均一になったり、移動体毎に摩耗の進み具合が異なることにより、載置されるテンプル装置の上下方向の高さが左右異なる高さになってしまう。この結果、テンプル装置の高さトラブルにともなうパイル形成ミスや、パイル織布のパイル高さが左右均一にならないなど、織物品質上の問題が生じる可能性がある。
【０００５】
そのような不都合を未然に防止する方法として、例えばテンプルバーを受ける移動体の配列ピッチを短くして、テンプル装置の支持構造の剛性をより強くすることが考えられる。これにより、上記撓みに起因する移動体の荷重の偏りを減らすことができるが、逆に移動体ならびにガイド体をより多く配置することになるため、例えば布移動の際の振動が大きくなったり、機上がり時などの点検保守時に作業者の手を煩わせるという問題が生じる。また、別の方法として、テンプルバーの剛性を大きくすることも考えられるが、逆に重量が増加してしまい、パイル織り時の布移動の際により大きな力で駆動しなければならず、電力エネルギーを浪費するという問題が生じる。
【特許文献１】特開平７−９０７５１号公報
【発明の開示】
【発明が解決しようとする課題】
【０００６】
したがって、本発明の課題は、パイル織り期間に、左右一対のテンプル装置を経糸の前後方向に移動させて、パイル組織の織布を形成する布移動式パイル織機において、経年的に平行度の変化しにくいテンプル装置の支持装置を提供することである。
【課題を解決するための手段】
【０００７】
上記の課題のもとに、本発明は、織幅方向のスライドバーを複数の支持ベースにより支持するとともに、支持ベースに設けられる移動体を左右の織幅方向で、さらにそれぞれの側の経糸の前後方向に４個の回転輪により受けるようにし、織幅方向の振れ規制手段を設けるようにしている。
【０００８】
具体的に記載すると、請求項１に係る発明は、パイル織り期間に、左右一対のテンプル装置（２、２’）を経糸（３）の前後方向に移動させてパイル組織の織布（５）を形成するパイル織機（１）において、左右一対の織機フレーム（６、６’）に連結するステー（１７）上に織幅方向に複数設けられる支持べース（７）と、各支持べース（７）に支持され経糸（３）の前後方向に移動可能な複数の移動体（８）と、各移動体（８）に対して織幅方向に架け渡した状態で取り付けられ、左右一対のテンプル装置（２）を織幅方向に位置調整可能な状態で支持するスライドバー（９）とを含むテンプル装置の支持装置（１０）であって、経糸（３）の前後方向に延在し互いに向き合う状態として支持ベース（７）に形成され、前記移動体（８）の両側に設けられた左右一対の上転がり案内面（１１ａ、１１ｂ）および下転がり案内面（１２ａ、１２ｂ）と、前記移動体（８）の両側に位置し、それぞれの側で経糸（３）の前後方向に離間して前記移動体（８）に設けられ、対応の上転がり案内面（１１ａ、１１ｂ）または下転がり案内面（１２ａ、１２ｂ）のうちいずれかに接して転がり移動する４つの回転輪（１４ａ、１４ｂ、１４ｃ、１４ｄ）と、前記移動体（８）の往復運動を経糸（３）の前後方向のみに規制するための手段であって、前記移動体（８）または前記移動体（８）とともに移動する部材側に設けられた移動側部材（１５）および前記移動側部材（１５）に係合するとともに前記織機フレーム（６，６’）側に設けられた固定側部材（１６）を備えた規制手段（１５、１６）とを有することを特徴とする。なおここでいう、上転がり案内面（１１ａ，１１ｂ）は、回転輪（１４ａ、１４ｂ、１４ｃ、１４ｄ）に対して上側の案内面を指し、また下転がり案内面（１２ａ、１２ｂ）は、回転輪（１４ａ、１４ｂ、１４ｃ、１４ｄ）に対して下側の案内面を指す。
【０００９】
請求項２に係る発明は、左右の前記下転がり案内面（１２ａ、１２ｂ）を形成する部材を単一の部材に設けられる案内ベース（１９）により構成することを特徴とする。
【００１０】
請求項３に係る発明は、前記支持べース（７）を、前記移動体（８）の両側に設けられた左右一対の支持ブラケット（１８ａ、１８ｂ）、前記支持ブラケット（１８ａ、１８ｂ）の下部に取り付けられた案内ベース（１９）、および各支持ブラケット（１８ａ、１８ｂ）の上部に前記案内ベース（１９）に対して平行に取り付けた複数の案内プレート（２０ａ、２０ｂ）により構成し、前記案内ベース（１９）の左右の上面に前記下転がり案内面（１２ａ、１２ｂ）を形成し、前記案内プレート（２０ａ、２０ｂ）の下面に前記上転がり案内面（１１ａ、１１ｂ）を形成するとともに、これらの支持ブラケット（１８ａ、１８ｂ）、案内ベース（１９）および案内プレート（２０ａ、２０ｂ）を組み立てた状態で前記ステー（１７）に対して着脱自在に設けることを特徴とする。
【００１１】
請求項４に係る発明は、前記固定側部材（１６）として左右の上転がり案内面（１１ａ，１１ｂ）および下転がり案内面（１２ａ，１２ｂ）の間で、経糸（３）の前後方向に平行に延びる案内面（２２ａ、２２ｂ）が設けられた前記案内ベース（１９）により構成するとともに、前記移動側部材（１５）として、移動体（８）の下部に取り付けたスライドストッパ（２１）により構成し、前記スライドストッパ（２１）の側部（２１ａ、２１ｂ）を前記案内面（２２ａ、２２ｂ）に係合させながら滑り移動させることを特徴とする。
【発明の効果】
【００１２】
請求項１に係る発明によると、テンプル装置（２、２’）を受ける移動体（８）は、上転がり案内面（１１ａ，１１ｂ）および下転がり案内面（１２ａ，１２ｂ）の間に配置される複数の回転輪（１４ａ、１４ｂ、１４ｃ、１４ｄ）によりその運動方向は、織布の前後方向に運動方向が規制されるとともに、規制手段（１５，１６）によって、移動体（８）の移動の際の織幅方向の振れが抑えられる。そして複数の回転輪（１４ａ、１４ｂ、１４ｃ、１４ｄ）は、織幅方向の両側のそれぞれの側で経糸（３）の前後方向に離間して設けられるから、上記問題としたように移動体の数を増やしたりスライドバーの剛性を過剰に強くすることなく、移動体から各回転輪が受ける荷重の偏りを抑えることができ、回転輪を受ける支持ベース（７）や、回転輪（１４ａ、１４ｂ、１４ｃ、１４ｄ）やこれを支持する軸などにおいて水平方向に対して偏った摩耗が防止される。しかも、支持ベース（７）に対する荷重が軽減されるため、経年的な摩耗がより低減できる。この結果、移動体（８）に載置されるテンプル装置（２、２’）では、スライドバー（９）やステー（１７）に対する水平方向の平行度を高い精度で長期間維持できる。
【００１３】
請求項２に係る発明によると、左右の下転がり案内面（１２ａ、１２ｂ）が単一の部材に設けられる案内ベース（１９）により構成されているため、より高い精度で厚みが管理された案内ベース（１９）を製作することにより、スライドバー（９）の取付け部の平行度がより高い精度で維持可能となる。
【００１４】
請求項３に係る発明によると、前記支持べース（７）が、前記移動体（８）の両側に設けられた支持ブラケット（１８ａ、１８ｂ）、案内ベース（１９）および案内プレート（２０ａ、２０ｂ）によって、これらを組み立てた状態で前記ステー（１７）に対して着脱自在に設けられるから、支持べース（７）のメンテナンス性が良好である。特に、案内ベース（１９）や案内プレート（２０ａ、２０ｂ）が摩耗したとき、それぞれの部品毎に単品交換可能であり、上下の案内面の平行度が常に維持可能となる。
【００１５】
請求項４に係る発明によると、固定側部材（１６）は、左右の上転がり案内面（１１ａ，１１ｂ）および下転がり案内面（１２ａ，１２ｂ）の間で、前記移動規制孔（２２）が設けられた前記案内ベース（１９）により構成され、移動側部材（１５）は、移動体（８）の下部に取り付けたスライドストッパ（２１）により構成されており、スライドストッパ（２１）の側部（２１ａ、２１ｂ）が移動規制孔（２２）の案内面（２２ａ、２２ｂ）に係合させながら滑り移動するから、駆動源に連結された個々の移動体（８）に対してこれに近接する位置に規制手段が設けられるため、織幅方向の振れを確実に規制できる。
【発明を実施するための最良の形態】
【００１６】
図１ないし図６は、本発明に係るテンプル装置の支持装置１０を示している。このテンプル装置の支持装置１０は、パイル織り期間に、左右一対のテンプル装置２、２’を、数ピックを周期として経糸３（織布５）の前後方向つまりパイル織機１の前後方向に移動させて筬打ちすることにより、パイル組織の織布５を形成する布移動式パイル織機１に組み込まれる。
【００１７】
図１に示すように、テンプル装置の支持装置１０は、左右一対の織機フレーム６、６’を連結するステー１７上に織幅方向に間隔をおいて複数、図示の例で４つ設けられる支持べース７と、各支持べース７にそれぞれ支持され、経糸３（言い換えれば織布５）の前後方向に移動可能な４つの移動体８と、各移動体８に対してその上端面に織幅方向に架け渡した状態で取り付けられ、左右一対のテンプル装置２、２’を織幅方向に位置調整可能な状態で支持するスライドバー９とを含む。
【００１８】
左右一対のテンプル装置２、２’は、織り上がった織布５の織前近くで、織布を拡幅する方向に緊張すべく織布５の両側の位置で、高さ方向の位置を調節可能なテンプルブラケット２５、２５’にそれぞれ取付けられ、また各テンプルブラケット２５、２５’は、載置される左右一対のテンプル装置２、２’を織幅方向に沿って平行に延びるスライドバー９の上で、テンプル装置の頭部が互いに向き合うように、かつ織布５の織幅に応じて、織幅方向に( すなわちスライドバー９の延在方向に) 位置調整可能に取付けられる。
【００１９】
また、左右一対のテンプル装置２，２’に対して織幅方向の内側には、織布を下側より支えるガイドバー５５が、織幅方向に沿って延在されるガイドバー５５が設けられて、織り上がった織布５を左右一対のテンプル装置２，２’の間の位置で下側より支えている。ガイドバー５５は、左右のテンプルブラケット２５，２５’の織幅方向の内側に間隔をおいて配置される複数のガイドバーホルダ５６，５６’…を介して、スライドバー９の上面に織幅方向に位置調節可能に取付けられる。
【００２０】
図２にように、支持べース７は、大まかに言えば、左右一対の支持ブラケット１８ａ、１８ｂ、左右一対の支持ブラケット１８ａ、１８ｂの間でそれらの下部に取り付けられた案内ベース１９および各支持ブラケット１８ａ、１８ｂの上部に案内ベース１９に対して平行に取り付けた案内プレート２０ａ、２０ｂにより構成されており、支持べース７には、経糸３の前後方向に延在し、互いに向き合う状態として、左右一対の上転がり案内面１１ａ、１１ｂおよび下転がり案内面１２ａ、１２ｂを、案内プレート２０ａ、２０ｂの各下端面および案内ベース１９の上端面にそれぞれ有している。
【００２１】
案内プレート２０ａ、２０ｂは、板状部材として設けられるとともに、それらの左右方向の一半部が、支持ブラケット１８ａ、１８ｂの互いに対向される側端部２３ａ，２３ｂより移動体８側に向かってそれぞれ延在されるように、またそれらの他半部が、各支持ブラケット１８ａ、１８ｂの上端面に当接した状態で、取付けねじ２６により各支持ブラケット１８ａ、１８ｂにそれぞれ固定されている。案内プレート２０ａ、２０ｂの下端面は、支持ブラケット１８ａ、１８ｂの側端部２３ａ，２３ｂよりも内側の領域に上転がり案内面１１ａ、１１ｂを形成する。
【００２２】
左右の下転がり案内面１２ａ、１２ｂは、案内ベース１９により構成されている。
図２および図３に示すように、単一の板状部材に設けられる案内ベース１９は、その外側には、長手方向( 織幅方向) の両端よりも内側の位置で幅方向( 織幅方向に直交する方向) にその一部が切欠きされて、支持ブラケット１８ａ，１８ｂに対する図示しない座部が設けられるとともに、その長手方向の中心部には、貫通される略四角形の角孔が、幅方向（すなわち織幅方向に直交する方向）に延在するように設けられ、その角孔に対して長手方向（すなわち織幅方向）において両端側に向かって下転がり案内面１２ａ、１２ｂを左右に形成している。
【００２３】
角孔には、織幅方向に直交される方向に延びる一対の案内面２２ａ、２２ｂと、これらの案内面に連続しかつこれに直交する方向に延びる、後述のスライドストッパ２１の移動を規制するための図示しない規制面とを構成する。なお、前記設けられる角孔は、後述のスライドストッパ２１の運動方向を経糸の前後方向に規制する移動規制孔２２を構成する。なお、移動規制孔２２でなく、左右の案内面２２ａ、２２ｂを有する溝として構成することもできる。
【００２４】
支持ブラケット１８ａ，１８ｂの下部には、移動体８側に向かって、ベース２７の取付面に対して平行であって、案内ベース１９の厚みに対応して切欠かれた段部が設けられる一方、支持ブラケット１８ａ，１８ｂの上部には、ベース２７の取付面に対して同様に平行な図示しない上端面がそれぞれ設けられている。板状に設けられる案内ベース１９の上端面が、支持ブラケット１８ａ，１８ｂの下部に設けられる前記段状の部分に当接した状態に配置される。
【００２５】
そして、案内ベース１９側の図示しない前記座部から支持ブラケット１８ｂに螺入される取付けボルト３０および支持ブラケット１８ｂの下部に設けられる空洞部から案内ベース１９に螺入される取付けボルト３１により締めつけ固定されている。支持ブラケット１８ａ側でも同様に固定されている。
【００２６】
なお、その上端面に下転がり案内面１２ａ、１２ｂを構成する案内ベース１９，およびその下端面に上転がり案内面１１ａ，１１ｂを構成する前記案内プレート２０ａ，２０ｂは詳細は後述するが、移動体８の移動方向を規制するために設けられるものである。従って案内ベース１９、前記案内プレート２０ａ，２０ｂ、これらを所定の間隔で保持するために左右に設けられる支持ブラケット１８ａ，１８ｂのいずれの部材も、幅方向（つまり長手方向に対して直交する方向、言い換えれば経糸の前後方向）に、少なくともパイル形成の際の移動体８の移動を妨げない長さに延在されている。
【００２７】
また、板状部材で設けられる案内ベース１９は、肉厚が一定でしかも上端面と下端面の平行度が高い精度に設けられており、また支持ブラケット１８ａ，１８ｂの下部の段部の取付面と各案内プレート２０ａ、２０ｂが取付けられる図示しない上端面は、同様に平行度が高い精度に設けられる。これにより、支持ブラケット１８ａ，１８ｂに対し案内ベース１９ならびに案内プレート２０ａ、２０ｂがそれぞれ所定の位置に当接してねじ部材により固着されることにより、案内ベース１９の上端面である下転がり案内面１２ａ，１２ｂと、案内プレート２０ａ、２０ｂの下端面である上転がり案内面１１ａ，１１ｂとは、平行度を高い精度に設定することができる。
【００２８】
一方、支持ブラケット１８ａ、１８ｂおよび案内ベース１９には、前記締付け固定された状態において、液密状態を維持しつつ互いに連通される管路２８が設けられており、支持ブラケット１８ａ，１８ｂの外側の側部には、この管路２８に通ずるニップル２９が接続されている。必要に応じて作業者は、図示しないグリスポンプを用いてニップル２９にグリスを供給し、管路２８および下転がり案内面１２ａ、１２ｂの、移動体８の後述の回転輪１４ａ、１４ｂ、１４ｃ、１４ｄの移動経路上に開口された給油孔２８ａ、２８ｂを経て回転輪側にグリスを補給するために設けられている。補給されたグリスは、４個の回転輪１４との転がりや滑り部分、あるいは後述されるように規制部材を構成する頭部２４と垂直面２３との滑り面の摩擦抵抗などを低減させ、それらの摩耗を減少させる。
【００２９】
そのように設けられる支持ベース７の下転がり案内面１２ａ，１２ｂ上には、移動体８が載置される。図４および図５に示すように、略ブロック状に設けられる移動体８には、その上部に、後述される移動方向に対して直交する方向（すなわち織幅方向）に沿って延在される角溝として設けられ、後述されるスライドバー９に対する係合部８ａ、ならびに織幅方向に沿って切欠きされたプッシュブロック５１に対する取付座８ｂが形成されるとともに、移動方向に対してその両側の位置で、それぞれの側で経糸３の前後方向に離間する位置に、４つの回転輪１４ａ、１４ｂ、１４ｃ、１４ｄが、それぞれ頭部２４付きの水平方向の支軸１３ａ、１３ｂ、１３ｃ、１３ｄを介して回転自在に取付けられている。
【００３０】
この例では、回転輪１４ａ、１４ｂは、前側の左右にそれぞれ設けられ、回転輪１４ｃ、１４ｄは、後側の左右にそれぞれ設けられる。各回転輪１４ａ、１４ｂ、１４ｃ、１４ｄは、例えば、内輪側が支軸１３ａ、１３ｂ、１３ｃ、１３ｄに取付けられ、外輪との間に円筒ころであるニードルが円周方向に複数配設されたニードルベアリングにより構成されている。
【００３１】
また、前側の回転輪１４ａ、１４ｂと後側の回転輪１４ｃ、１４ｄとの間の位置における移動体８の下端面には、移動規制部材１５としてスライドストッパ２１が複数のねじ部材５２ａを介して取付けられる。断面略Ｔ字状に設けられるスライドストッパ２１は、滑り抵抗の小さい材料例えばナイロン製の成形品であり、スライドストッパ２１は、移動体８が支持ベース７に載置された状態、すなわち回転輪１４ａ、１４ｃおよび回転輪１４ｂ、１４ｄが、対応する下転がり案内面１２ａおよび下転がり案内面１２ｂに載置された状態で、Ｔ字形状の上半部が、前記案内ベース１９の下転がり案内面１２ａ，１２ｂに近接するように設けられ、また、前記下半部の下方に延びる側部２１ａ、２１ｂが、前記案内ベース１９に設けられる移動規制孔２２の対応する案内面２３ａ、２３ｂに、当接可能に設けられる。
【００３２】
そして、移動体８は、スライドストッパ２１の左右の側部２１ａあるいは側部２１ｂを、案内ベース１９の移動規制孔２２に設けられる対応の案内面２２ａ、案内面２２ｂに係合させながら滑り移動することによって、移動体８の往復運動時の織幅方向への横振れを防止する。なお横ブレの原因となる織幅方向の力を、複数のスライドストッパ２１に分散して受けるため、スライドストッパ２１が樹脂製の材料で製作されたとしても比較的長命である。
【００３３】
このようにして、規制手段は、左右の上転がり案内面１２ａ、１２ｂおよび下転がり案内面１２ａ、１２ｂの間で、支持ベース１９に設けられ、移動体８の往復運動を経糸３の前後方向のみに規制するための固定側部材１６（案内面２３ａ，２３ｂを有する案内ベース１９）と、移動体８に設けられ、固定側部材１６に係合して移動体８の往復運動を経糸３の前後方向のみに規制する移動側部材１５（案内面２２ａ、２２ｂに当接して滑り移動可能なスライドストッパ２１）とで構成されている。
【００３４】
テンプル装置の支持装置１０の組み付けに際して、まず、移動体８が支持ベース７に載置された状態に組み付けてユニット化し、次いで、そのような移動体８と支持ベース７の組み付けユニットをステー１７上の所定位置にそれぞれ取り付けることにより行われる。
【００３５】
図１から図３を参照するに、まず、支持ベース７の組み付けでは、案内ベース１９の左右両側に支持ブラケット１８ａ，１８ｂが配置されて、案内ベース１９の上端面が、支持ブラケット１８ａ，１８ｂの下部に設けられる段状の部分に当接した状態に配置される。そして、案内ベース１９側の図示しない前記座部から支持ブラケット１８ｂに螺入される取付けボルト３０および支持ブラケット１８ａ、１８ｂ側から案内ベース１９に螺入される取付けボルト３１により、案内ベース１９と支持ブラケット１８ａ，１８ｂは一体に組み付けられる。
【００３６】
一方、図４および図５のように、移動体８の両側には、支軸１３ａ，１３ｂ，１３ｃ，１３ｄを介して４つの回転輪１４ａ，１４ｂ，１４ｃ，１４ｄが、それぞれ回転自在に取付けられるとともに、移動体８の下端面には、スライドストッパ２１が、ねじ部材５２ａを介して固着されており、移動体８は、スライドストッパ２１の下半部が移動規制孔２２に収容された状態に、また４つの回転輪１４ａ，１４ｂ，１４ｃ，１４ｄが対応される下転がり案内面１２ａ，１２ｂに当接された状態に、案内ベース１９に載置される。
【００３７】
そして、移動体８の両側にある支持ブラケット１８ａ，１８ｂの上端面に、案内プレート２０ａ，２０ｂがねじ部材２６、２６を介して取付けられ、案内プレート２０ａ，２０ｂの上転がり案内面１１ａ，１１ｂは、４つの回転輪１４ａ，１４ｂ，１４ｃ，１４ｄに対して上方から当接可能にかつ上記下転がり案内面１２ａ，１２ｂに対向するように設けられる。
【００３８】
このようにして、移動体８が支持ベース７に載置された状態に組み付けられて、ユニット化されている。支持べース７は、図１に見られるように、織幅方向のステー１７上に一例として略等間隔のもとに複数設けられる。ステー１７の上端面には、複数のベース２７，２７…が複数の支持ベース７、７…に対応する位置に溶接されて一体に設けられており、ユニット化された支持ベース７は、支持ブラケット１８ａ、１８ｂを貫通しベース２７，２７…に螺入される取付けボルト４２，４２により、対応するベース２７，２７…にそれぞれ載置された状態でステー１７側に対して一体に取付けられる。このようにして、ユニット化された支持ベース７は、構成部材を分解することなくステー１７に対して着脱自在に取付けられる。
【００３９】
また、下転がり案内面１２ａ、１２ｂと上転がり案内面１１ａ、１１ｂ間の距離は、各回転輪の転がりを妨げない程度に、具体的には各回転輪１４ａ、１４ｂ、１４ｃ、１４ｄの外径よりも約１０分の数ｍｍ程度広めに設定されている。このようにして移動体８は、４つの回転輪１４ａ、１４ｂ、１４ｃ、１４ｄが、支持べース７の下転がり案内面１２ａ、１２ｂ、あるいは左右の案内プレート２０ａ、２０ｂの上転がり案内面１１ａ、１１ｂのいずれかに接することによって上下方向に大きく浮き上がらない状態となる。
【００４０】
この状態でスライドストッパ２１は、側部２１ａ、２１ｂで移動案内孔２２の案内面２２ａ、２２ｂに係合しながら滑り移動可能となる。このように移動体８は、支持ベース７に経糸３の前後方向に移動自在に組み込まれる。なお図６のように、４個の回転輪１４ａ、１４ｂ、１４ｃ、１４ｄの前後に、上転がり案内面１１ａ、１１ｂや下転がり案内面１２ａ、１２ｂに対する風綿侵入防止のために、適切な形状のカバー４３、４４が取付けられる。
【００４１】
図１のように、左右に配置されるテンプル装置２、２’は、テンプルベース３５、３５’やテンプルガイド３６、３６’とともに、テンプルブラケット２５、２５’にそれぞれ支持される。図６には、テンプル装置２の支持装置１０を織機の左側フレーム６より見た図を示す。本実施例は、テンプル装置２の下側に織布５を通過させて緊張させる、いわゆる上置き形テンプルの例である。より具体的には、テンプル装置２は、大まかに言えば、テンプル本体３７と、テンプル本体３７を支持するテンプルブラケット２５と、織布５をテンプル本体３７に下方より押し付ける際のガイドとして機能するテンプルベース３５ならびにテンプルガイド３６とを含む。
【００４２】
テンプル装置２の主要部を構成するテンプル本体３７は、外周に多数の針が埋め込まれた図示しないテンプルリングが、心棒４８に対して複数挿入されるとともに、心棒４８の両端には、いずれも図示しない基端部および頭部が挿入されて、テンプルリングを両側より挟み込むように構成される公知の装置である。隣接されるテンプルリングの間には、図示しないリングカラーが介装される。これにより各テンプルリングの回転軸が織端側に近づくにつれて心棒４８に対してなす角度が大きくなるように、かつ心棒４８に対して回転自在に設けられており、テンプルリングの下側の周面に当接される織布５を、巻取側に進むにつれて、基端部側に引き寄せ可能にされている。
【００４３】
そしてテンプル本体３７の基端部では、半径方向に延びかつその先端が円弧面に形成される取付け座４５が設けられ、テンプルブラケット２５より、テンプル本体３７の位置に対応して円弧状に設けられる取付部４６に、締め付けねじ４７により取付けられている。円弧状の取付部４６には、締付けねじ４７を貫通させる図示しない貫通孔が、円周方向に延びる長穴に設けられており、他方、取付座４５の外周面には、円周方向に複数のねじ孔４９が設けられている。このため、複数のねじ孔４９に対する締め付けねじ４７の挿入位置の選択したり、上記長穴に対する締付けねじ４７の位置によって、テンプル本体３７は、心棒４８の軸心を中心として取付け角度調節可能となっており、これにより織布５の引き寄せ量が調節可能にされている。
【００４４】
そして、スライドバー９には、断面逆Ｔ字状のあり溝３２が長手方向に連続して設けられるとともに、テンプルブラケット２５は、あり溝３２に挿入されるナット３３と、座部２５ａを貫通して上側から螺入される図示しないボルトにより、織幅方向に位置調節自在に取付けられる。また、図１に示した複数のガイドバーホルダ５６，５６…についても同様にスライドバー９に取付けられる。一方、スライドバー９は、織幅方向に設けられた複数の移動体８、８…の各上部に設けられる係合部８ａに係合された状態で、取付けボルト５０により取付けられる。
【００４５】
パイル織機が運転されると、経糸３の開口内に緯入れされた緯糸４は、再び経糸３に交錯されて筬３４に筬打ちされ織布５となる。織布５は、織幅方向に織り縮み傾向のままテンプルベース３５に接してからテンプル本体３７に巻き込まれ、図示しないテンプルリングの回転によって、織り縮み力に抗し、織幅の中心から離れる方向に引き戻され、その後テンプルガイド３６に案内されてから、ガイドロール３８を経て、図示しない巻き取りロールに巻き取られる。
【００４６】
図６において、パイル組織の製織時に、揺動アーム４０は、図示しないクランク装置、カム装置またはそれらの組み合わせ装置によって、数ピックを周期として図示しない支軸を中心に前後方向に揺動され、この揺動運動は、パイル織機１の前側のガイドロール３８やパイル織機１の後ろ側で地経糸を案内する図示しないテンションロールに伝達され、これらを同時に前後に移動させることによって、経糸３および織布５をパイル組織の生成と同期して前後に移動させる。
【００４７】
この揺動アーム４０の往復運動は、アーム３９によりプッシュアーム４１を経て、移動体８の上部の取付部８ｂに装着されるプッシュブロック５１に伝達されて、移動体８に伝達される。つまり、移動体８は、左右前後の合計４個の回転輪１４ａ、１４ｂ、１４ｃ、１４ｄにより上転がり案内面１１ａ、１１ｂおよび下転がり案内面１２ａ、１２ｂに案内されるため、揺動アーム４０の揺動運動が移動体８の往復運動に変換され、この結果、テンプル装置２、２’ならびにガイドバー５５は、パイル組織の製織時に前後に往復移動をする。なお、図６は、移動体８が最前進した状態を実線にて図示している。
【００４８】
４つの回転輪１４ａ、１４ｂ、１４ｃ、１４ｄは、通常、移動体８に掛かる荷重を前後左右のそれぞれ両側で支えているため、下転がり案内面１２ａ、１２ｂに接して回転する。しかし、移動体８に浮き上がり傾向の力が作用すると、４個の回転輪１４ａ、１４ｂ、１４ｃ、１４ｄの全部または一部は、上転がり案内面１１ａ、１１ｂに接して移動体８の浮き上がりを防止している。
【００４９】
移動体８の往復運動時に、スライドストッパ２１は、その側部２１ａ、２１ｂの部分で移動規制孔２２案内面２２ａ、２２ｂに係合しながら滑り移動することによって、移動体８を左右方向（織幅方向）への振れを規制している。
【００５０】
しかし移動体８の織幅方向への移動規制は、上記実施例に限らない。具体的構成として、移動体８に突起を設けるとともに、突起を支持ベース７側の溝に当接させる手段、あるいは支持ベース７とは別のフレーム側部材に当接させる手段などによっても行える。
【００５１】
なお、移動体８の往復運動時において、例えば移動体８の織幅方向の規制を、図２および図３のように支持ブラケット１８の経糸３に平行な垂直方向の案内面２３ａ、２３ｂと、支軸１３ａ、１３ｂ、１３ｃ、１３ｄの頭部２４とを当接するように配置することで構成することもできる。そのように構成したとき、頭部２４は、移動側部材１５として、固定側部材１６としての案内面２３に対して滑りながら移動し、移動体８の振れ止め作用を営む。この場合に、スライドストッパ２１や移動規制孔２２は、不要となるが、案内面２３ａ、２３ｂや頭部２４などとともに存在していてもよい。
【００５２】
上転がり案内面１１ａ、１１ｂや下転がり案内面１２ａ、１２ｂは、一対の案内プレート２０ａ、２０ｂ、一対の案内プレート２０ａ、２０ｂを離間させる部材の３つの部材により構成する、あるいは断面コの字状の単一部材による構成する、または下転がり案内面１２ａ、１２ｂを形成するプレートと、断面Ｌ字状の部材とで構成し、前記プレートに前記断面Ｌ字状の部材を上・下逆Ｌ字状に組み合わせて構成することもできる。
【００５３】
本発明は、図１に示されるように、一幅取りのパイル織機に限らず、２幅以上のパイル織布を同時に製織する織機にも適用可能であり、そのようなパイル織機では、テンプル装置２，２’は、各織布の織端にそれぞれ設けることも考えられる。また図示例は、支持ベース７が織幅方向に４つ設けられる例であるが、織機の織幅仕様に対応して４以外の複数個を設けることもできる。
【産業上の利用可能性】
【００５４】
本発明は、布移動式パイル織機１に適用されるが、布移動させる際の駆動手段としては、カム装置などの機械駆動の装置に限定されず、電動モータによって駆動される装置などその他の装置によって構成することもできる。
【図面の簡単な説明】
【００５５】
【図１】本発明に係るテンプル装置の支持装置１の正面図である。
【図２】テンプル装置の支持装置１の支持ベース７の拡大正面図である。
【図３】支持ベース７の支持ブラケット１８と案内ベース１９との連結部分の一部破断平面図である。
【図４】テンプル装置の支持装置１の移動体８の拡大平面図である。
【図５】テンプル装置の支持装置１の移動体８の拡大正面図である。
【図６】本発明に係るテンプル装置の支持装置１を利用してテンプル装置２を織機フレーム６に取り付けた状態の一部破断側面図である。
【符号の説明】
【００５６】
１  パイル織機
２  テンプル装置
３  経糸
４  緯糸
５  織布
６  織機フレーム
７  支持ベース
８  移動体
９  スライドバー
１０  支持装置
１１ａ、１１ｂ  上転がり案内面（上側の案内面）
１２ａ、１２ｂ  下転がり案内面（下側の案内面）
１３ａ、１３ｂ、１３ｃ、１３ｄ  支軸
１４ａ、１４ｂ、１４ｃ、１４ｄ  回転輪
１５  移動側部材
１６  固定側部材
１７  ステー
１８ａ、１８ｂ  ブラケット
１９  案内ベース
２０ａ、２０ｂ  案内プレート
２１  スライドストッパ
２１ａ、２１ｂ  側部
２２  移動規制孔
２３ａ、２３ｂ  案内面（側端部）
２４  頭部
２５  テンプルブラケット
２６  取付けねじ
２７  ベース
２８  給油孔
２９  ニップル
３０  取付けボルト
３１  取付けボルト
３２  あり溝
３３  ナット
３４  筬
３５  テンプルベース
３６  テンプルガイド
３７  テンプル本体
３８  ガイドロール
３９  アーム
４０  揺動アーム
４１  プッシュアーム
４２  取付けボルト
４３  カバー
４４  カバー
４５  取付け座
４６  テンプルホルダ
４７  締め付けねじ
４８  心棒
４９  ねじ孔
５０  取付けボルト
５１  プッシュブロック
５５  ガイドバー
５６  ガイドバーホルダ
【図１】
2009030208.tif 000003
【図２】
2009030208.tif 000004
【図３】
2009030208.tif 000005
【図４】
2009030208.tif 000006
【図５】
2009030208.tif 000007
【図６】
2009030208.tif 000008